(57)【要約】      （修正有）【課題】交通事故、被災者を激減させる事が出来る自立発光できる装飾具を提供する。【解決手段】発光灯を完全防水にし、人、動物（ペット）等が、使用する装飾、装備、アクセサリーにする、小間物、ペンダント、ブローチ、ブレスレット、チェーンホルダー等に組み込む。また、安全ピン、面テープ他、工法接続で、衣服、帽子等に取り付ける。他、車輌の突出部位に、赤色類に対して、反対色となる青色系類にある自律発光のある電灯を取り付ける。【選択図】図１
2011183134.tif 000002
【特許請求の範囲】
【請求項１】
現在、市場で、別形体を以って、多く類在する、夜釣り人が、夜間の浮きポイント目安にしている、自立発光できる、発光灯を完全防水にし、人、動物（ペット）等が、使用する装飾、装備、アクセサリーにする、小間物、ペンダント、ブローチ、ブレスレット、チェーンホルダー等内に内蔵して、之を製品化する発明、請求をして、上記述を同意議とし、身長の低く、夜間、車上位置から、これが見えにくい、小人、動物、（ペット）等の首輪や、リード先に黄色（磁性線）を中心に持ち、波長の長短を、正反対方向に持つ赤青色事故防止する発光器型ペンダントが発明される請求。そして、
【請求項２】
更に、同意議の中、車両等が接触、衝突、追突事故を起こさぬ様、赤色類他、常に、之等、反対色をして、青色類他をする、電球、反射板、フォグランプを会意させ、人の視神経を興奮させる発光器物とし、車、船、航空機等に取り付け、強盗、盗難、海難、（置去り）事件、事故にも役立つ物とし、これを面テープ、磁石、他、工法接続取り付け物となる発明請求。
【請求項３】
又、この発明品である点滅できる点灯に有事、被災時において、「ＳＯＳ」等を主体とする、トンツー式、モールツ信号灯に変換できる、切り替えスイッチ付、点滅機を付ける発明が為される事への請求。
【請求項４】
同意議目的を以って、昼間は、極単に色の違う、青、赤、若しくは、自黒等を反対色に持ち、この様に使用される板、帯、風船、風車を用い、夜間は自光器を用いて、照らし、この様に反対色に持つ発光灯に之を取り付
2011183134.tif 000007
なり、車輌に用いれば動物等の飛び出しの少なくなる効果を発明する請求。
【発明の詳細な説明】
【技術分野】
【０００１】  筆者は、田舎育ちで、子供の頃、砂糖水を持ち夏期、夜るの河原に、友達とよく蛍を採りに行った。ウチワで叩いて採るのがベターであった。砂糖水は、いつも、自分で飲んでいた。【０００２】  ホタルの放つ光は、相当強い物であったが、その光は柔らかく、見る人々の目には、小気味よく、目障りにはならなかった。火の玉も見た事があった。之は気味が悪く、火の玉を見て一週間、熱を出したのも、この頃であった。【０００３】  ホタルを含め、夏期性生物は、短い生涯のうち的確に、その配偶者を選取し、優秀な子孫を残す為、交尾を成功させなければならなかった。人間界も、かくべく様、有りたかったが、人間界の「ロミオとジュリエット」、夜るの舞踏会………、シトネの段回的ストーリーでは、決っして、ホタルに負けるものではない。と思われる所でもあった。【０００４】  これは、人間界、ホタル界に言わず、最っも天敵の多い時にあって、ホタルも同じ様、敵に最も狙れ易いが意志疎通する相手を位置早く、ルート良く選取し、外敵を避ける為、その躰に発光体を着ける進化の路を選んでいた。【０００５】  この方法は、コウモリの発っする超音波を外く効果があり、一定のリズムを持つ発光は、あまりにも遅い周期率の為敵の目くらましに役立ち、発光体が点灯しない時は、徴量のホルモン液を出し続け、動き廻り続けるので、自分の所在位置を敵に容易に知らせず、広大な河原にあって、必要配偶者に多いに遭遇し易いものとなった。【０００６】  この様に、この世にある点灯発光体速度に、四次元（Ｅ２＝ｎ⇒Ｘ＋Ｙ＝Ｚ）計算式を用いた時、一定の距離・空間（Ｙバリュー）にある、河原、草原地帯に生活圏を求める。平均１、３週間前後しか生存できない彼等にとってあり余る時間帯（Ｘバリュー）の精々に限られた生殖交尾時間３〜５時間の内に優良配偶者を選取しなければ絶滅の期にひんした。【０００７】  この課題を、人間界に持って来た時、人類において、膨大に広がる生活圏の中（Ｙ）で限られる最良の時間帯（Ｘ）を選取できる者は、成功できるものとなった。けれども、【０００８】  人動物界でもこの様に互いに動く物（体）を味方にして、害敵と成す時、これに識別し易い点灯体の色、場所、照度、大きさ、点滅速度が技術的に大変重要視されるものとなった。それ故、これをして、色、照度、大きさ、点灯速度を、不適切に使用した場合、動物の持つ脳が、拒絶反応を示すものとなり、不快感を覚え、甚しい時には、その点灯（物）を見ただけで、見て、見えぬ現象が起こったり、意識障害さへ起こす危険な物に成り得る技術力が発見された。【０００９】  つまり色合は、青と赤色にある反対色が、動物体が認識色に用いる時、注意色となり、（動物実験では）敵味方の多くある、熱帯地方にオウム、蛇類、他、熱帯魚等に見られるカラフルな色合が多く用いられる。太古でも恐竜が之を体色に用い、敵、味方同志の色別に多いに役立っていた。人動物の見る、極単な赤色は脳中にアドレナリンをして、青色は、メラトリンを分泌させて後、他色を見た際に、反対液が多量に之に分泌する効果は、大火傷を受けた患者の病室には、青色を用い、赤色を用いてはいけない事の由以を考証論理に援用を求めた時、多量のアルコールを飲む者にも、同じ原理が働き、闘牛場現象にも見られた。【００１０】  それ故、これで間に合わぬ時、動物に言わず、植物に至ってまで、クラゲ、深海魚、月夜茸等に見られるロドプシン細胞を多いに活用し、自力で光を放つ者も続出した。【００１１】  現代科学では、未だ知られていない事に、猫、犬、猛禽類の目が光るのは、思い違いされる彼等の体内に貯えられたロドプシン電蓄力で自力発光しており、太古の恐竜の目も光る物もいた。【００１２】  動物（特に哺乳類）では、心臓のリズム鼓動に合わせ、これらは、発光させている者も多かった。動物等は、親の胎内に居る時、親の心臓音をその脳に覚えていた。
【先行技術文献】
【００１３】●特願２００５−３３６３２５の請求項と同文章
【背景技術】
【００１４】●特願２００５−３３６３２５  ●２００７−２１１９７９
【発明の概要】
【発明が解決しようとする課題】
【００１５】  筆者は、戦後生まれであり、第二次世界大戦も終結してから、即に半世紀も過ぎていた頃、尚も、サイパン、グ
2011183134.tif 000003
争だったらしかった。オジイさん、オバアさんが筆者のコドモの頃、ベッドの中でオトギ話にしてよく聞かせて下さっていた。【００１６】  何がものすごかったのか？と言えば、日本とドイツ軍の惨敗振りがものすごいものであったらしかった。―筆者は、ドイツ系日本人であった。戦争の良し悪しは、別課題として、筆者は、日本とドイツ国に対して並ならぬ誇りを持っていた。当時も、世界トップレベルを誇った日本、ドイツ軍が持つ技術、軍事力は、彼国の軍事、技術力以上のものであった筈であったが、何故、これ程までに惨敗したのであろうか？後に筆者○万通を越える兵法、軍事論理学法をして、戦争史書を読み深けり、学び、最後に見破ったのは、光通信技術の遅れを取り、ドイツにおいてはノルマンディ沿岸戦、日本においては、ミッドウェ海戦に大敗し、その綻びを拡大しつつ、その終焉の行き付く所となった。と考えた。【００１７】  それは、彼国においては、ボーイスカウトに始まり、少年達は、コドモの頃より、山岳、海枝才能を見い出され、
2011183134.tif 000004
三帝国時代にこれを真似たが、彼国の持つ歴史、実跡に倒底及ぶ所ではなかった。【００１８】  これらコドモ達は、鍛えられ、この中のある者は、レンヂャー特殊部遂に入隊する者も居て、進んだ小型のレンズ力を利用する小型の懐中電灯を多く用い、敵地に（パラシュートで）潜む、海上、陸上、高き所から、飛行爆撃機に、その適格な爆弾投下位置を味方に支持し、ミッドウェ海戦にあっては、旧日本海軍は広大な海原の中に敵航空母艦の所在地が掴めず、攻撃体勢ミスから、自軍空母の全滅の危にひんする中、【００１９】  しかしながら敵艦隊には、この戦闘海域において、自軍位置と日本軍の位置を、その数十倍以上にある速度で容易に認識できているものであり、これに反して、日本軍、人口の大半では、彼国軍隊人口が持つ懐中電灯の数に比して、ローソク、提灯の数があまりにも多すぎた事で、この論文の言わんとしている事が理解できた。
【課題を解決する為の手段】
【００２０】  今、課題を解決する手段に、現代、膨れ上がる膨大な交通戦争に主眼（要点）を持って来た時、この年々増える被害者は、高令者、コドモ、飼い犬、猫をする、その被害の増大は、被岸を境いに夜るの闇の多くなる夕刻時刻に増え続ける所であり、これら交通被災者は、多にして、交通ルール、社会秩庁に疎い者達が大半であった。
【００２１】  かつて、他人事に知らぬ中、筆者の知人に我が子を失った人が居て、その悼みと苦しみを見て来ており、筆者自身も、この為に、愛する忠犬、愛猫を失っていた。轢き逃げだった。たかが猫として轢かれたのは、七才の黒の雄猫であったが、轢き逃げ現場に行ってみると、「痛い、誰か・・・・・！」と言って呻いていた。まさか！と思い、その顔を見ると、それは、猫の原型を離れた、美しくは無いが、筆者にとって、あまりにも可愛い、クロであった。クロは、日本猿の様に、顔と手足に毛が無く、人の言葉を話し、算数のたし算、引き算もできるネコであり、筆者が地球型エーリアンとして、造った、世界初のペットのネコであった。「クロ！」と呼ぶと、「テオリーくん。」と徴かに聞こえた。筆者は泣き崩れた。読者には信じられないだろうが真実の話しであった。クロは、大概、人の話す千種の言葉を理解していた。（之は軍事兵器に悪用される危険があった。）
【００２２】  時に、魚釣りの好きな筆者は、夜釣りをしていて、コドモの頃無かった（チカチカ）電灯の光るリール先にある浮きを暗い海面に向けて、投げては、その頃の少年時代の回想に深けっていた。フッと、この（チカチカ）浮きに付いている電灯をこの交通弱者である、世のお年寄、コドモ、ペット、他ブレスレット、ペンダントに組み込ませて付けたらどの様になるものであろうか？この交通事故、被災者を激減させる事が出来る。と考えた時、本発明が起った。
【発明の効果】
【００２３】  それ故、アインシュタインの相対性理論、Ｅ２＝ｎ⇒Ｘ＋Ｙ＝Ｚ（⇒は即ちを表わす。）を用いて、本文を分かり易く説明すると、ＡとＢの車両が同一路線上（人生）にあったが、Ａは１６０ｋｍ／ｈ毎時速度を保ちＸ＞Ｙ⇒Ｚ、前方を６０ｋｍ／ｈ速度の物理空間内を走行するＢ車に追い付き、双方の車両は、同一路線上で、毎時６０ｋｍ／ｈ速度を保持し、６０Ｍの車間距離を保った場合、Ｘ＝Ｙ⇒Ｚとなるが、この時の物体ＡとＢは、「物理空間上永久停止した。」と呼ばれ、視界からも永久停止する事となり、この状態にある、複数間にあるあらゆる物体は、「永久安定速度保持状態」と呼称されたが、「ルール。」とも「安定中の流れ。」とも呼ばれていた。しかしながら、
【００２４】  この時、複数間にあり、前方向を走っていたＡ車輌が急な理由を得て、３０ｋｍ／ｈに減速、Ｘ３０＋Ｙ９０＝Ｚ１２０した時、この物理空間にあった全ての物体は、「物理空間上の永久停止」を止め、見る者の視界の中で突如として、物が動き出すものとなる際、この距離を保てない物は、Ａ車輌以後の継続車輌は、順次和を乱し、玉突き衝突をするものとなり、その衝撃力は、筆者の唱える、万有爆力の法則Ｘ０＋Ｙ９０＝Ｚ９０ｋｍ／ｗの元、９０Ｍ高所から墜落したのと同じ衝撃力を受けるものとなったが、但し、加速計算をこの式に加えると、Ｘ０＋Ｙ１２０＝Ｚ１２０となった。
【００２５】  この説話をもう少し進展した時、仮りに、毎時６０ｋｍ走行速度を自負している動物（猫）が、直角方向の道路を走行する車輌が、こちらに向って来るのを６０Ｍ先で見て、道路に飛び出した時、公式Ｘ６０＋Ｙ６０＝Ｚ６０の計算式が働き、この猫の目には、飽くまでも、走行車輌は停止しているものにしか見えず、公式Ｘ６０＋Ｙ６０＝Ｚ１２０の安全距離を保てる走行速度で道路を渡り切れば、交通事故に遭わずに済み、この道路上において生命の危険を得ないものとなった。
【発明を実施する為の最良の形態】
【００２６】  現代科学で未だ人類は、物理空間上にある、「永久停止力学理論」及び立証式Ｘ＋Ｙ＝Ｚの「永久不安定速度保持状態理論」Ｘ＞Ｙ＝Ｚ１．３１４、五次元力学の計算式を知らず、これが確立されていなかった時、多くの人々は、物理空間に多く発生する、速度間と距離の関係にある物体の停止現象にある実効性を知らず、数、数え切れない多くの悲惨な事故を起こし、尊い命を失い続けていた時、この事は、古くにあった事例でもう少し話してみたかった。
【００２７】  ―筆者は、新潟県長岡市出身であった。その頃先述される、お爺さんと、お婆さんがお伽話しして下さる、第二次世界大戦も末期、長岡市民殲滅策戦にある米軍、Ｂ２９（戦闘）爆撃機がこれを空襲した際、長岡市民は、日頃の
2011183134.tif 000005
附近で複数名の人員が外に出て、タバコに火を付け、之をふかし、空爆状況を安心し、油断して見守っていたらしかった。
【実施例】
【００２８】  ―当時の戦略、主流の殆ど全ては、英国ランチェスター将軍考案によるランチェスター市街地皆殺し攻略体系。最近の戦争史、ベトナム戦争、イラク戦争にもこれが使われる、米英軍策戦本部が為す６０余年前の策戦であり、長岡市民は、米軍がヘマをし、郊外に誤爆投下しているものである。と誤解し、油断していたものであったが、踵を返す、米軍Ｂ２９型機は、その６５０Ｍから８５０Ｍ上空を飛ぶべく飛行距離にありながら一瞬の内に、この暗がりの大地でタバコをふかしている、その火灯りを目印に舞い戻って来て、重点的に焼夷弾を投下し続けた為、附近一帯は、火の海となり、逃げ場を失った非戦闘員（女、コドモ、老人、病人・・・・）等２千人は、そのまま、全員、その位置で焼死する事となり、市街地市民８万人×０．０３％＝２４００人を（戦意）消失し、事実上、長岡市全体の陥落となった。この様に星くず程に小さく自立発光する光りが絶大となるものであったが、【００２９】  ここで留意する事は、この説話に登場したタバコの燃焼温度を筆者が唱じる「万有爆力の法則、燃焼温度は、同量の光粒子線量に相当変換する。」事からタバコの燃焼温度を仮りに摂氏６５０°〜８５０℃とした時、このタバコの火は６５０ｌｘ〜８５０ｌｘ（ルクス）に相当する光粒子量を持っているのである。」と言い、６５０Ｍ〜８５０Ｍ上空を飛行する飛行士に歴然とこの光りは確認できる立証実験を得る時、カンデラをｍＡ（ミリアンペア）にて、出力換算される所となった。【００３０】  説話は続けられる所、一羽の動きの鈍い、オウムに鷹が攻撃を仕掛けた際、付近に居た数十羽のオウムが飛びたち、赤青反対色に染める羽色を一斉に、これに見せつけて、１．３１４秒以上経つと鷹は目をまわし、その場を離れる効果に以ており、ここには、飛行速度も原因した。（パラット参照）【００３１】  白黒のストライプを持つ被食魚が鯨、イルカの群に追われた時、反撃する、このストライプの魚群が踵を返えし、鯨、イルカの群を取り囲んで３０分以上周囲を泳ぎ回わっていると、鯨、イルカ群は、口に泡を出し、意識障害を起こし、溺れる者も出る事は、未だ現代科学の知らない所でもあったが、この位にまで極度に反対色にある色別は、人、動物の見る目と脳に衝撃的なインパクトを与えるものであって、現代科学では、之を注意色、警戒色とも、呼んでいたが、多くの立証実験を用いて、考証される時、新代科学では、之を「拒絶色」と呼称するに至って、やがて死に至るものさへ出す効果があり、ランチェスターの布陣と命名される時、【００３２】  この種の魚が異常繁殖する時、鯨やイルカが浜に打ち上げられる事件が多発した。それ故、この世には、多く伝えられなかった筆者の論説研究内容をして、海においては、パンダ、イルカ、シャチ等をし、陸上ではゼブラ、ジラフ他……をする。何故これ程までに、これらの生き物は、本説で提唱される「拒絶色」を身に纏っているのか？と言えば、この説話を人間界に戻し、人間界において、本能的に、使用され、未だ継続的に、警察が用いる、パトカー車輌色や、野球選手が身に付けているユニフォームにこの説話を持ってくると、話しが尚も分り易くなった。【００３３】  犯罪者、暴動、襲撃が予想される地区に、巡迴するパト��ーには、動きの純い動物パンダの色彩を施した際には、スピード出力の違いにおいて、これを見る者の目に、１．３１４秒見えて、１．３１４秒づつその素形が見えづらくなる現象が起こったからであり、【００３４】  この事は、読者の未だ知らない新代科学の世界に見られるものであったが、イルカ、ペンギン、アザラシ、オルカ等はエサの多い魚群の群れに、突入し、反転する。ストライプ、縞模様の多い魚群に逆襲された時、出力を違えた速度で、現場を離れ、海底で動かず静かにしていれば、魚群は、この襲撃者の素形を見失い、無事退避出来、夕方から夜る寝ている時にも、いつしか取り囲まれている危険も少なかった。然るに、【００３５】  水陸性生物、アザラシ、ペンギン等では、有事の際には、陸上に逃がれる術を持っていたが、パンダ色の無いイルカや鯨では、そういう訳にはいかなかった。――間抜けとまでは言わないが、狩猟経験の浅いアザラシの子がこのランチェスターの布陣に巻き込まれ、脳機能障害を起こし、流氷の上に逃がれ、昼寝をするまま、海流に流され、通常のアザラシ生活圏以外の場所で発見されるには、この理由があった。【００３６】  ランチェスター、布陣とは、味方を芯にし、敵が之を三方向から取り囲む陣型を言い、芯に、いかなる（数十万人）最強師団が増強されようとも（全滅警戒時除去系数、Ａ）０．０３％づつ害力を以って、之に破壊せしめた時、芯は絶滅する殺陣の事を言い、経済学にも応用できる所であった。――国内、大企業を芯にして、之を取り巻く中小企業が一定の時間、空間において、０．０３％づつ倒産した場合、大企業は倒産するものとなる。【００３７】
2011183134.tif 000006
は、パンダ色を用い、開発され続けた物であった。【００３８】  この様に、生物界においては、動物の視神径が嫌う「拒絶色」があり、これが発見された時、之現象は、ヘリ、飛行路にもあり、１２０Ｍを越える鉄塔では必ずしも紅白の色彩が施こされているのは、これを見るパイロットが、無意識中にも、瞬間速度を落す、「新代科学」に提唱される「拒絶色」の効果が働くからであり、怖い物である。とする心理学、畏怖心を中枢脳に働せたからであった。考証論理では、【００３９】  この事は、ヘリ、飛行機を操従するパイロットがサングラスを着けず、長時間、青い海と青い大空の下を飛行し、帰省した際、ヘリポート、滑走路が見えなくなりつつある事に気が付き、――誰しもが経験するコドモの頃、プールの底を真青に塗ったプール遊びをし、１００Ｍ泳ぎ切って、およそ３０分後に、水上に顔を出すと、地上に居る人々、ギャラリーの一切が見えなくなっているものであったが、プール底を茶色に塗っていると、【００４０】  この範囲を逸脱した。この後、遊泳者には、眠気が急襲したが、同様に、長い航路、サングラスを付けない船長が航行時、意識を失い、昼寝をする事件が生じるのにも、本論説の正しきが立証される所となり、順説から、プール底を紅く塗ると、すぐに体力を使い果し、泳路区分線に赤、白、青の単色を重ねこれに添って泳いでいると、やがて意識障害が生じた。――それ故、動物実験においては、
【産業上の利用の可能性】
【００４１】  敵の多い熱帯魚がこの拒絶色を好んで体色に選んで多く用いているのは、強大な大型捕食魚から自身を守っており、人間界の田畑に細長い紅白の帯を用いれば、害鳥、害獣が恐れて近よらなくなり、そして、昼夜を問わず、紅食と反対色にある青色灯を車に付け、これ（青色）の出力を強くすればする程、動物等（犬、猫等）の道路等への飛び出し（実験）が低くなるものとなる事への根拠（立証実験）は、猫等は、尻っぽの青いトカゲを嫌って尻っぽの茶色い物を多く狙う事を見る事で理解される事を、ライト産業メーカが理解した時、本発明文の確かな所、産業上の利用の可能性は極めて大きいものになる。と考えられた。
【符号の説明】
【００４２】１．ロザリオ型ブレスレットの中心部位に自律発光灯のある赤青電灯を忍ばせた物を示す図。２．ブローチ、ペンダントに青、赤、正反対色にあって、他、赤青黄色三原色を会意させ、自律発光できる電灯が作られ、之を安全ピン、面テープ他、工法接続で、衣服、帽子等に取り付けた図。３．車輌の前部位、後部位、他、車輌の突出部位に、赤色類に対して、反対色となる青色系類にある自律発光のある電灯を取り付けた事を示す図であったが、点滅灯切り替えスイッチにより、「ＳＯＳ」等のモールツ信号を自在に発っする事の出来る様にし、車輌にあっては、バッテリーに直結する必要があり、車内温度３５℃を越える時、サーモセンサーが働き、自動的に、ＳＯＳを発信したり、個人タクシー等が強盗に遭偶した際、外部に、ＳＯＳを発っして、通知できる（従来の技術では、タクシーの運転手、警察以外、危険信号の意味が分らなかった。）切り替えスイッチを付けたり、又、高級車盗難時には、遠隔操作にても同じく、ＳＯＳを発信、通知できる切り替えスイッチを付けて、盗難防止に役立つ光りを発っする事が出来る事を示す図。４．ＳＯＳ、モールツ信号切り替えスイッチを示しているが、痴漢対策にも役立つ物である事を示した図。５  ペット用、ペンダントブローチ、及びリード先に取り付けられるペンダントの中心部位に、本発明品、自律発光灯のある、電灯を忍ばせた物である事を示している。６．車輌所在地灯の取り付け金且と電灯を示す図であったが、非常時には、ＳＯＳ、モールツ信号を発っする発信灯に変わる事を示した図であった。７．キーホルダーチェーンの途中に、発信灯を取り付けた図であったが、このチェーンはブレスレットにもなり、海中等にあって遭難時には、ＳＯＳを発っする物にもなる事を示した図。８．スダレに発光体を持つホタルの人形を取り付けて、夏の風情を楽しむ事の出来る事を示した図であったが、この発光灯をトラック荷の警告灯にも簡単に変用できる事を示した図。９．前主灯。１０．光芯を表わしているがこのライトを昼点灯する時には青色のキャッツアイにデザインしてみた事を表わしている。１１．フォーグランプ（Ｔ．４３０）であるが、バッテリー他に、電源を得るものとし、強い青色灯が本論文上、望ましかった。１２．光芯を青くした場合には、周囲輪色は、淡い朱色が望ましかった。１３．車幅灯を示す物であるが、サイドミラーに工法接続出来る事を示した物である。（緑色）１４．車番灯（青く照らすのが理想であった。）１５．ウィンカー。１６．車輌正面図。１７．車輌後部面図。１８．車輌側面図。１９．風を表わす。２０．光たくのある白色帯。２１．青色  ２２．紅色。２３．紅色灯  ２４．ペットボトル  ２５  トラック青（若しくは緑）灯球一例一色側列灯。２６  光たくのある白色ペットボトル
【図面の簡単な説明】
【００４３】
【図１】  昔から、「大工は、冬使うな！使えば捐をする。」という程までに、被岸をすぎて、夜るも長くなった頃も（北欧では、日本より、それは、ひどいものであったが、）人々は勤勉に働き、コドモ達は学校へ行い、ペットの犬は散歩をねだり続けた。日本人とドイツ人のまじめな気質は以ていた。けれどもこの様に、夜るの長くなった、暗がりの中多くの、車の運転手は、特に気付かって、これを運転していたが、どうしても事故が起こった。暗がりだけが、どうしても原因するものではなかった様であったが、Ｘ＋Ｙ＝Ｚによる四次元効果による、物理空間にある物体にも多くの事故を起こす要因がある事が発見される時、この躍動する物体や、人々が、日常身に付けているペンダント、ブローチ、ブレスレット、鎖、保護拒絶灯を付ける図。
【図１】
2011183134.tif 000008